【手続補正書】
【提出日】平成17年1月27日(2005.1.27)
【手続補正１】
【補正対象書類名】明細書
【補正対象項目名】発明の名称
【補正方法】変更
【補正の内容】
【発明の名称】ダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラム
【手続補正２】
【補正対象書類名】明細書
【補正対象項目名】請求項１
【補正方法】変更
【補正の内容】
【請求項１】
マルチアングルの映像を有しているＡＶデータから前記マルチアングルの映像を取り出す取り出し手段と、前記マルチアングルの映像をダイジェスト映像とするダイジェスト映像特定手段とを有する第１装置と、
提供されてきた前記ダイジェスト映像を受信する受信手段を有する第２装置とを備えたダイジェスト映像特定システム。
【手続補正３】
【補正対象書類名】明細書
【補正対象項目名】請求項２２
【補正方法】変更
【補正の内容】
【請求項２２】
請求項２０記載のプログラムを記録した記録媒体であって、コンピュータにより処理可能である記録媒体。
【手続補正４】
【補正対象書類名】明細書
【補正対象項目名】請求項２３
【補正方法】変更
【補正の内容】
【請求項２３】
請求項２１記載のプログラムを記録した記録媒体であって、コンピュータにより処理可能である記録媒体。
【手続補正５】
【補正対象書類名】明細書
【補正対象項目名】０００１
【補正方法】変更
【補正の内容】
【０００１】
【発明の属する技術分野】
本発明は、例えばビデオ・オン・デマンドシステムやファイルサーバー等に関し、端末からのダイジェスト映像が要求された際、その要求に応じて要求されたダイジェスト映像を提供するダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラムに関するものである。
【手続補正６】
【補正対象書類名】明細書
【補正対象項目名】００１８
【補正方法】変更
【補正の内容】
【００１８】
すなわち、ダイジェスト映像を単純に垂れ流しで提供するだけではインタラクティブ性を有するソフトウェアの楽しさを表現することが出来ないという課題がある。
【手続補正７】
【補正対象書類名】明細書
【補正対象項目名】００１９
【補正方法】変更
【補正の内容】
【００１９】
本発明は、上記課題を考慮し、手間がかからず、また低コストでＡＶデータからダイジェスト映像を製作することが出来るダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラムを提供することを目的とするものである。
【手続補正８】
【補正対象書類名】明細書
【補正対象項目名】００２０
【補正方法】変更
【補正の内容】
【００２０】
また、本発明は、上記課題を考慮し、インタラクティブ性を有するソフトウェアの楽しさを表現出来るダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラムを提供することを目的とするものである。
【手続補正９】
【補正対象書類名】明細書
【補正対象項目名】００２１
【補正方法】変更
【補正の内容】
【００２１】
【課題を解決するための手段】
上述した課題を解決するために第１の本発明（請求項１に対応）は、マルチアングルの映像を有しているＡＶデータから前記マルチアングルの映像を取り出す取り出し手段と、前記マルチアングルの映像をダイジェスト映像とするダイジェスト映像特定手段とを有する第１装置と、
提供されてきた前記ダイジェスト映像を受信する受信手段を有する第２装置とを備えたダイジェスト映像特定システムである。
【手続補正１０】
【補正対象書類名】明細書
【補正対象項目名】００４２
【補正方法】変更
【補正の内容】
【００４２】
また、第２２の本発明（請求項２２に対応）は、第２０の本発明のプログラムを記録した記録媒体であって、コンピュータにより処理可能である記録媒体である。
【手続補正１１】
【補正対象書類名】明細書
【補正対象項目名】００４３
【補正方法】変更
【補正の内容】
【００４３】
また、第２３の本発明（請求項２３に対応）は、第２１の本発明のプログラムを記録した記録媒体であって、コンピュータにより処理可能である記録媒体である。
【手続補正１２】
【補正対象書類名】明細書
【補正対象項目名】００８３
【補正方法】変更
【補正の内容】
【００８３】
図２に映像提供装置１の動作を説明するフローチャートを示す。また、図８に映像提供装置１と情報端末９との間のやり取りを説明するための図を示す。
【手続補正１３】
【補正対象書類名】明細書
【補正対象項目名】００８４
【補正方法】変更
【補正の内容】
【００８４】
まず、情報端末９の指示手段１０は、表示手段１２に表示されているＧＵＩを指示選択することにより、メニュー画面を要求する。この要求は図８のメニュー画面要求４１に示すように、指示手段１０からネットワーク上り回線２２を経由してダイジェスト映像提供手段６に送信される。ダイジェスト映像提供手段６は、メニュー画面要求４１を受信すると、メニュー画面を情報端末９に送信する。すなわち、図８のメニュー画面送信４２に示すようにメニュー画面はネットワーク下り回線２３を経由して受信手段１１に送信される。そして、受信手段１１で受信されたメニュー画面は表示手段１２に表示される。
【手続補正１４】
【補正対象書類名】明細書
【補正対象項目名】００８９
【補正方法】変更
【補正の内容】
【００８９】
そうすると、指示手段１０から図８のダイジェスト映像要求４５に示すようにダイジェスト映像提供手段６にダイジェスト映像を要求する要求が送信される。ダイジェスト映像提供手段６は、ダイジェスト映像要求４５を受信すると（Ｓ２）、図８のダイジェスト映像送信４６に示すようにダイジェスト映像を送信する（Ｓ３）。ダイジェスト映像提供手段６から送信されてきたダイジェスト映像は、受信手段１１で受信され、表示手段１２に表示される。表示手段１２に表示されたダイジェスト映像は、表示手段１２で、マルチアングル映像のうち図３の再生開始時間と再生終了時間とで指定される部分が再生される。また、ダイジェスト映像の先頭静止画を指示手段１０により選択指示することによりマルチアングルの映像の各アングルを自由に切り替えることが出来る。情報端末９のユーザはインタラクティブにダイジェスト映像を切り替えてダイジェスト映像を楽しむことが出来る。
【手続補正１５】
【補正対象書類名】明細書
【補正対象項目名】０１０３
【補正方法】変更
【補正の内容】
【０１０３】
なお、本実施の形態の映像提供装置は本発明の第１装置の例であり、本実施の形態の情報端末９は本発明の第２装置の例であり、本実施の形態の映像提供装置１は本発明の映像特定装置の例であり、本実施の形態のマルチアングルソフトは本発明の本編のＡＶデータの例であり、本実施の形態のマルチアングルソフトは本発明のマルチアングルの映像を有しているＡＶデータの例である。
【手続補正１６】
【補正対象書類名】明細書
【補正対象項目名】０１０５
【補正方法】変更
【補正の内容】
【０１０５】
また、本発明は、上述した本発明のダイジェスト映像提供方法の全部又は一部のステップの全部又は一部の動作をコンピュータにより実行させるためのプログラムを記録した記録媒体であり、コンピュータにより読み取り可能且つ、読み取られた前記プログラムが前記コンピュータと協動して前記動作を実行する記録媒体である。
【手続補正１７】
【補正対象書類名】明細書
【補正対象項目名】０１１５
【補正方法】変更
【補正の内容】
【０１１５】
すなわち、第１の発明は、マルチアングルの映像を有しているＡＶデータから前記マルチアングルの映像を取り出す取り出し手段と、前記マルチアングルの映像をダイジェスト映像とするダイジェスト映像特定手段とを有する第１装置と、
提供されてきた前記ダイジェスト映像を受信する受信手段を有する第２装置とを備えたダイジェスト映像提供システムである。
【手続補正１８】
【補正対象書類名】明細書
【補正対象項目名】０１４５
【補正方法】変更
【補正の内容】
【０１４５】
また、第３１の発明は、第２９の発明のプログラムを記録した記録媒体であって、コンピュータにより処理可能である記録媒体である。
【手続補正１９】
【補正対象書類名】明細書
【補正対象項目名】０１４６
【補正方法】変更
【補正の内容】
【０１４６】
また、第３２の発明は、第３０の発明のプログラムを記録した記録媒体であって、コンピュータにより処理可能である記録媒体である。
【手続補正２０】
【補正対象書類名】明細書
【補正対象項目名】０１４７
【補正方法】変更
【補正の内容】
【０１４７】
【発明の効果】
以上説明したところから明らかなように、本発明は、手間がかからず、また低コストでＡＶデータからダイジェスト映像を製作することが出来るダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラムを提供することが出来る。
【手続補正２１】
【補正対象書類名】明細書
【補正対象項目名】０１４８
【補正方法】変更
【補正の内容】
【０１４８】
また、本発明は、インタラクティブ性を有するソフトウェアの楽しさを表現出来るダイジェスト映像特定システム、ダイジェスト映像提供システム、ダイジェスト映像特定装置、ダイジェスト映像提供装置、ダイジェスト映像受信装置、ダイジェスト映像特定方法、ダイジェスト映像提供方法、記録媒体、及びプログラムを提供することが出来る。